(57)【要約】食器カゴは、開閉可能に接続される第１凹部（１２）および第２凹部（１４）を有する。第１凹部（１２）は、食器を収納する食器トレイ（４）に、回動可能な第１軸部（１１）を介して食器トレイ（４）の前面側に取り付けられ、第１軸部（１１）から延在する。第２凹部（１４）は、第１凹部（１２）の第１軸部（１１）と反対側の端部で、食器トレイ（４）に回動可能な第２軸部（１３）を介して延在する。第２軸部（１３）を介して第２凹部（１４）を第１凹部（１２）に向って回動させることにより、第１凹部（１２）と第２凹部（１４）とで形成される内側に被洗浄物を収納可能に構成される。これにより、飛ばされやすい軽い被洗浄物を収納しながら洗浄できる食器カゴを提供する。
2020071005.tif 000002
【特許請求の範囲】
【請求項１】
互いに開閉可能に接続される第１凹部および第２凹部を有する食器カゴであって、
前記第１凹部は、食器を収納する食器トレイの引き出し方向または押し込み方向に回動可能な第１軸部を介して前記食器トレイの前面側に取り付けられ、前記第１軸部から延在し、
第２凹部は、
前記第１凹部の前記第１軸部と反対側の端部に、前記食器トレイの引き出し方向または押し込み方向に回動可能な第２軸部を介して取り付けられ、前記第２軸部から延在し、
前記第２軸部を介して前記第２凹部を前記第１凹部に向って回動させて、前記第１凹部と前記第２凹部とで形成される内側に被洗浄物を収納可能に構成される、
食器カゴ。
【請求項２】
前記第１軸部を前記食器トレイの押し込み方向に回動させるとともに、前記第２軸部を回動させて、前記第１凹部および前記第２凹部を実質的に水平方向に開くことにより、前記第１凹部および前記第２凹部によって前記食器トレイに収納された少なくとも一部の食器の上を覆うカバー状態を構成する、
請求項１に記載の食器カゴ。
【請求項３】
前記第１軸部を前記食器トレイの押し込み方向に回動させて、前記食器トレイの上で、前記第１凹部と前記第２凹部とを実質的に閉じることによって被洗浄物を収納可能な小カゴを構成する、
請求項１に記載の食器カゴ。
【請求項４】
前記第１軸部を前記食器トレイの引き出し方向に回動させて、前記食器トレイの外で、少なくとも前記第２凹部によって小カゴを構成する、
請求項１に記載の食器カゴ。
【請求項５】
前記第２凹部は、前記第１凹部より重い、請求項１に記載の食器カゴ。
【請求項６】
洗浄槽と、
食器を収納する食器トレイと、
請求項１から請求項５のいずれか１項に記載の食器カゴと、
前記洗浄槽内で、前記食器トレイおよび前記食器カゴに収納される前記被洗浄物に洗浄水を噴射する洗浄部と、
を備える、
食器洗い機。
【発明の詳細な説明】
【技術分野】
【０００１】
本発明は、食器トレイに取り付けられる食器カゴおよびこれを備える食器洗い機に関する。
【背景技術】
【０００２】
従来、食器を洗浄する食器洗い機では、原則、洗浄ノズルからの噴流水で飛ばされやすい軽いもの、例えばプラスチックのスプーン、発泡スチロール容器、ふきん、スポンジなどは、洗えないものとされていた。【０００３】
これに対して、食器などを押さえる食器ガードを設けた食器洗い機が提案されている（例えば、特許文献１参照）。【０００４】
しかしながら、特許文献１に開示の食器洗い機の食器ガードでは、飛ばされやすい軽い被洗浄物を十分に押さえることはできなかった。
【先行技術文献】
【特許文献】
【０００５】
【特許文献１】特開２０１１−１４７６３０号公報
【発明の概要】
【０００６】
本発明は、飛ばされやすい軽い被洗浄物を収納しながら洗浄できる食器カゴおよびこれを備える食器洗い機を提供する。
【０００７】
本発明の食器カゴは、互いに開閉可能に接続される第１凹部と第２凹部を有する。第１凹部は、食器を収納する食器トレイの引き出し方向または押し込み方向に回動可能な第１軸部を介して食器トレイの前面側に取り付けられ、第１軸部から延在する。第２凹部は、第１凹部の第１軸部と反対側の端部で、食器トレイの引き出し方向または押し込み方向に回動可能な第２軸部を介して取り付けられ、第２軸部から延在する。そして、第２軸部を介して第２凹部を第１凹部に向って回動させて、第１凹部と第２凹部とで形成される内側に被洗浄物を収納可能に構成される。
【０００８】
また、本発明の食器洗い機は、洗浄槽と、食器を収納する食器トレイと、上記食器カゴと、洗浄槽内で、食器トレイおよび食器カゴに収納される被洗浄物に洗浄水を噴射する洗浄部を備える。
【０００９】
上記食器カゴおよびそれを備える食器洗い機によれば、食器トレイに取り付けられる食器カゴ内に、飛ばされやすい軽い被洗浄物を、より確実に収納して、効果的に洗浄できる。
【図面の簡単な説明】
【００１０】
【図１】図１は、実施の形態に係る食器洗い機の洗浄槽の構成を示す概略斜視図である。
【図２】図２は、カゴ部の第１凹部および第２凹部によって食器トレイに収納された少なくとも一部の食器の上を覆うカバー状態を示す概略斜視図である。
【図３】図３は、食器トレイの上でカゴ部の第１凹部と第２凹部とによって小カゴを構成する食器トレイ上小カゴ状態を示す概略斜視図である。
【図４】図４は、食器トレイの外でカゴ部の第１凹部と第２凹部とによって小カゴを構成する食器トレイ外小カゴ状態を示す概略斜視図である。
【図５】図５は、第２軸部を回動させず、カゴ部の第１凹部と第２凹部とを開放している状態を示す概略斜視図である。
【図６】図６は、図５のカゴ部を裏返した状態を示す概略斜視図である。
【図７】図７は、第２軸部を回動させて、第１凹部と第２凹部とによって小カゴを構成した状態を示す概略斜視図である。
【図８】図８は、図７の小カゴを構成したカゴ部を前面側に配置した場合を示す概略斜視図である。
【発明を実施するための形態】
【００１１】
以下、実施の形態に係る食器カゴおよび食器カゴを備える食器洗い機について、添付図面を参照しながら説明する。なお、図面において、実質的に同一の部材については同一の符号を付している。
【００１２】
（実施の形態）
以下、本実施の形態に係る食器カゴ（カゴ部）および食器カゴ（カゴ部）を備える食器洗い機２０について、図１から図４を参照しながら、説明する。
【００１３】
図１は、本実施の形態に係る食器洗い機２０の洗浄槽２の構成を示す概略斜視図である。図２は、カゴ部１０の第１凹部１２および第２凹部１４で、食器トレイ４に収納された少なくとも一部の食器の上を覆うカバー状態を示す概略斜視図である。図３は、食器トレイ４上において、カゴ部１０の第１凹部１２と第２凹部１４で小カゴを構成する食器トレイ上小カゴ状態を示す概略斜視図である。図４は、食器トレイ４外において、カゴ部１０の第１凹部１２と第２凹部１４で小カゴを構成する食器トレイ外小カゴ状態を示す概略斜視図である。
【００１４】
なお、以降では、図中に示す、食器洗い機２０の前面の左から右にＸ方向、奥行き方向をＹ方向、鉛直上方をＺ方向として、説明する。また、図１は、内部構造を示すために前面に配設される扉を省略して図示している。
【００１５】
本実施の形態の食器洗い機２０は、少なくとも、本体１と、本体１に収納される洗浄槽２と、食器などの被洗浄物を収納する食器トレイ４と、食器トレイ４に取り付けられ、食器カゴであるカゴ部１０と、洗浄部である洗浄ノズル５ａ、洗浄ノズル５ｂおよび洗浄ノズル５ｃなどを備える。
【００１６】
食器トレイ４は、洗浄槽２に対して、−Ｙ方向に引き出し、または、Ｙ方向に押し込み可能に、洗浄槽２の内側面に配設されるレール３ａ、３ｂ上に配置される。
【００１７】
カゴ部１０は、図２から図４に示すように、食器トレイ４の引き出し方向（−Ｙ方向）または押し込み方向（Ｙ方向）に、回動可能な第１軸部１１を介して、食器トレイ４の前面側（−Ｙ方向）の枠などに取り付けられる。カゴ部１０は、第１凹部１２および第２凹部１４を含む。第１凹部１２と第２凹部１４とは、第２凹部１４の第２軸部１３を介して、互いに回動可能に接続される。
【００１８】
洗浄ノズル５ａ、洗浄ノズル５ｂ、洗浄ノズル５ｃは、洗浄槽２内に配置され、食器トレイ４に収納される食器などの被洗浄物に洗浄水を噴射して、被洗浄物を洗浄する。
【００１９】
つまり、本実施の形態の食器洗い機２０によれば、食器トレイ４に取り付けられたカゴ部１０内に、例えば飛ばされやすい軽い被洗浄物を収納する。これにより、軽い被洗浄物が飛ばされることなく、より確実に、かつ効率よく、被洗浄物を洗浄できる。
【００２０】
以下、食器洗い機２０を構成する部材について、項分けして、図１から図４を参照しながら、説明する。
【００２１】
＜本体＞
本体１は、食器洗い機２０の外郭を構成し、内部に、洗浄槽２を格納する。なお、本体１は、例えばキッチンの調理台の下にビルトイン型で収納されてもよい。また、本体１は、独立して調理台の上に載置できるタイプの食器洗い機の本体を構成してもよい。
【００２２】
＜洗浄槽＞
洗浄槽２は、本体１の前面側（−Ｙ方向）に開口部を有する。洗浄槽２は、内部に、食器などの被洗浄物を収納する食器トレイ４が配置される。なお、洗浄槽２は、上部に開口部を有し、上部から食器などの被洗浄物を収納する食器トレイが配置される構造でもよい。
【００２３】
＜扉＞
扉（図示せず）は、洗浄槽２の開口部を開閉可能に設けられる。扉は、洗浄槽２の開口部が前面側の場合、前面側に設けられ、開口部が上部側の場合、上部側に設けられる。なお、扉は、１枚または２枚以上を組み合わせて構成してもよい。
【００２４】
扉の開き方としては、手前（−Ｙ方向）側に向って開く場合、扉の開放位置が前面下方に位置するように扉を開く構成でもよく、扉の開放位置が前方上部に位置するように扉を開く構成でもよい。さらに、左（−Ｘ方向）または右（Ｘ方向）に向かって扉が開く場合、扉の開放位置が左側または右側の位置に、扉を開く構成でもよい。また、２枚以上の構成の扉の場合、それぞれの扉が対称に開く、いわゆる観音開きで開く構成でもよく、それぞれの扉が同じ方向に開く構成でもよい。
【００２５】
＜食器トレイ＞
食器トレイ４は、食器などの被洗浄物（図示せず）を載置または収納する。食器トレイ４は、例えば、図１および図２に示す洗浄槽２の内面の両方の側面に設けられる一対のレール３ａおよび一対のレール３ｂに沿って、洗浄槽２の前面側から出し入れ可能に配置される。なお、図１に示す例では、上段側にレール３ａ、下段側にレール３ｂを設け、上下の２段に食器トレイ４が配置可能な構成で図示している。
【００２６】
食器トレイ４は、洗浄槽２の前面側（−Ｙ方向）に引き出し、または、洗浄槽２の後面側（Ｙ方向）に押し込み可能に配設される。
【００２７】
なお、以降、単に、「引き出し方向」と記載する場合、Ｙ方向、−Ｙ方向、もしくは、Ｙ方向および−Ｙ方向のいずれの方向も含む。
【００２８】
また、食器トレイ４は、少なくとも、前面（−Ｙ方向）側に、食器カゴであるカゴ部１０が取り付け可能に構成される。
【００２９】
＜洗浄ノズル（洗浄部）＞
洗浄部である洗浄ノズル５ａ、５ｂ、５ｃのそれぞれは、例えば洗浄槽２内の異なる位置、あるいは異なる高さに配設される。洗浄ノズル５ａ、５ｂ、５ｃは、食器トレイ４およびカゴ部１０に収納された食器などの被洗浄物に洗浄水を噴射して、被洗浄物を洗浄する。このとき、洗浄ノズル５ａ、５ｂ、５ｃは、主に、洗浄槽２の下方から上方に向かって洗浄水を噴射して、被洗浄物を洗浄するように配設される。
【００３０】
なお、洗浄ノズル５ａ、５ｂ、５ｃは、上記配置構成に限られず、洗浄槽２の構成や形状、食器トレイの形状や配置などに応じて、洗浄槽２内の適切な位置に、配置することが望ましい。
【００３１】
＜カゴ部（食器カゴ）＞
本実施の形態の食器カゴであるカゴ部１０は、以下で説明する３つの状態を取ることができる。具体的には、カゴ部１０は、（１）カバー状態、（２）食器トレイ上小カゴ状態、（３）食器トレイ外小カゴ状態の３つの状態が選択可能である。
【００３２】
以下、図２から図４を参照しながら、３つの状態について、より詳しく説明する。
【００３３】
（１）カバー状態
カバー状態とは、図２に示すように、カゴ部１０の第１凹部１２および第２凹部１４を開いた状態で、食器トレイ４上に収納された、少なくとも一部の食器の上を覆う状態である。カバー状態は、第２凹部１４の第２軸部１３は回動させず、第１凹部１２の第１軸部１１を食器トレイ４の押し込み方向（Ｙ方向）に回動させることによって実現される。この場合、一部の食器の大きさなどに応じて、第２凹部１４の第２軸部１３が、多少、回動する場合も含まれる。これにより、食器トレイ４の上に載置した、比較的、軽い食器などの被洗浄物を上方からカゴ部１０で押さえ、安定させて被洗浄物を洗浄することができる。
【００３４】
（２）食器トレイ上小カゴ状態
食器トレイ上小カゴ状態とは、図３に示すように、食器トレイ４の食器などが載置される面上で、第１凹部１２と第２凹部１４により内側に被洗浄物を収納可能な小カゴを構成した状態である。
【００３５】
つまり、食器トレイ上小カゴ状態は、上記カバー状態から、第１軸部１１および第２軸部１３を食器トレイ４の引き出し方向（−Ｙ方向）に回動させながら、さらにＺ方向に回動させることによって実現される。このとき、第１凹部１２が第２凹部１４を覆う状態となる。これにより、第１凹部１２と第２凹部１４とで小カゴが構成される。小カゴには、例えばプラスチックのスプーン、発泡スチロール容器、ふきん、スポンジなどの、洗浄時において、噴射される洗浄水で飛ばされるような軽い被洗浄物が収納される。これにより、軽い被洗浄物を、小カゴ内に安定して保持しながら、効果的に洗浄できる。
【００３６】
また、洗浄時において、小カゴの下に配置される、食器トレイ４上の食器も、同時に、小カゴの自重で上方から押さえることができる。そのため、食器トレイ４上の食器も安定した状態で保持しながら、洗浄できる。
【００３７】
（３）食器トレイ外小カゴ状態
食器トレイ外小カゴ状態とは、図４に示すように、食器トレイ４の枠体の外で、第１凹部１２と第２凹部１４とにより内側に被洗浄物を収納可能な小カゴを構成した状態である。
【００３８】
つまり、食器トレイ外小カゴ状態は、第１凹部１２が第１軸部１１から下方に延びている状態において、第１軸部１１は回動させず、第２軸部１３を食器トレイ４の引き出し方向（−Ｙ方向）に回動させながら、さらに、−Ｚ方向に回動させることによって実現される。このとき、小カゴは、食器トレイ４の前面（−Ｙ方向）側に突出した状態で、配置される。
【００３９】
この構成の場合、食器トレイ４上には、通常の食器が載置される。そして、小カゴには、洗浄時に飛ばされるような軽い被洗浄物が収納される。これにより、食器トレイ４上の食器などの被洗浄物と、小カゴ内の軽い被洗浄物が、同時に、洗浄される。
【００４０】
以上のように、洗浄時に飛ばされるような軽い被洗浄物の有無、食器トレイ４の上の比較的軽い食器などの有無に応じて、適宜、例えば上述の３つの状態から、適切なカゴ部１０の状態を選択して、より確実に被洗浄物を洗浄できる。
【００４１】
以下、本実施の形態の食器カゴであるカゴ部１０について、図５から図８を参照しながら、さらに詳しく説明する。
【００４２】
図５は、第２軸部１３を回動させず、カゴ部１０の第１凹部１２と第２凹部１４と、を開放している状態を示す概略斜視図である。図６は、図５のカゴ部１０を裏返した状態を示す概略斜視図である。図７は、第２軸部１３を回動させて、第１凹部１２と第２凹部１４により小カゴを構成した状態を示す概略斜視図である。図８は、図７の小カゴを構成したカゴ部を前面側に配置した場合を示す概略斜視図である。なお、図８は、図４に示す食器トレイ４にカゴ部１０を配置した状態を見た場合に相当する。
【００４３】
食器カゴを構成するカゴ部１０は、図２から図４に示すように、食器トレイ４の引き出し方向（−Ｙ方向）、または押し込み方向（Ｙ方向）に回動可能な第１軸部１１を介して、食器トレイ４の前面（−Ｙ方向）側の枠体などに取り付けられる。
【００４４】
また、カゴ部１０は、第１凹部１２と第２凹部１４を有し、第２軸部１３を介して、互いに回動可能に接続される。第１凹部１２は、第１軸部１１から延在する。第２軸部１３は、第１凹部１２の第１軸部１１と反対側の第２凹部１４の端部に設けられ、食器トレイ４の引き出し方向（−Ｙ方向）に回動可能に構成される。第２凹部１４は、第２軸部１３から延在する。なお、上記では、第２軸部１３が引き出し方向に回動可能な構成を例に説明したが、これに限られない。例えば、第２軸部１３を回動させるタイミングによっては、第２軸部１３を押し込み方向（Ｙ方向）に回動可能に構成してもよい。つまり、第２軸部１３は、回動させる状況に応じて、異なる方向に回動させてもよい。
【００４５】
カゴ部１０は、第２軸部１３を介して第２凹部１４を第１凹部１２に向って回動させ、第１凹部１２と第２凹部１４の互いの開口を覆うことにより、小カゴが構成される。
【００４６】
なお、本実施の形態のカゴ部１０は、第２凹部１４の凹部の深さが、第１凹部１２の凹部の深さより深くなるように構成される。ここで、凹部の深さとは、例えば図４のＹ方向における深さ（長さ）に相当する。
【００４７】
そして、図５に示すように、カゴ部１０の開放により、まず、飛ばされるような軽い被洗浄物が、第２凹部１４に収納される。このとき、第２凹部１４は、第２軸部１３を介して、図５の手前側に開くことができる。そのため、手前から小物の被洗浄物を、第２凹部１４に容易に収納することができる。このとき、図４の状態から、第２凹部１４を手前側に開いた状態においては、後方（Ｙ方向）に位置する食器トレイ４が支えとなる。そのため、第２凹部１４を手前側に開いた状態を、より安定して維持できる。これにより、第２凹部１４の手前から、小物などの被洗浄物を安定した状態で、第２凹部１４に収納できる。
【００４８】
また、図７および図８に示すように、第１凹部１２の開口と第２凹部１４の開口とを合わせて、互いの開口を閉じることができる。これにより、カゴ部１０の内部に、安定して、小物などの軽い被洗浄物を収納できる。
【００４９】
また、本実施の形態のカゴ部１０は、第２凹部１４が、第１凹部１２より重くなるように構成される。これにより、図２に示すカバー状態において、食器トレイ４上に配置される食器などを、安定して押さえて、洗浄できる。
【００５０】
なお、本実施の形態では、第１凹部１２を「凹部形状」で形成した例で説明したが、これに限られない。例えば、第１凹部１２は「凹部」ではなく、「平坦部」で形成してもよい。この場合、第１凹部１２の「凹部」は、一部に「平坦部」を含んでいてもよい。
【００５１】
また、本実施の形態では、特に言及していないが、通常の食器洗い機が備える、洗浄した食器を乾燥させる乾燥部などを備えてもよい。
【００５２】
また、本実施の形態の食器カゴは、洗浄機能を備えないタイプの食器乾燥機に搭載してもよい。つまり、乾燥部などを備え、空気を送風して、洗浄槽内の食器を乾燥させるタイプの食器乾燥機に搭載してもよい。
【００５３】
なお、本開示においては、上述した様々な実施の形態のうちの任意の実施の形態を適宜組み合わせることを含む。これらの組み合わせによっても、それぞれの実施の形態が有する効果を、同様に奏することができる。
【００５４】
以上で説明したように、本発明の食器カゴは、互いに開閉可能に接続される第１凹部と第２凹部を有する。第１凹部は、食器を収納する食器トレイの引き出し方向または押し込み方向に回動可能な第１軸部を介して食器トレイの前面側に取り付けられ、第１軸部から延在する。第２凹部は、第１凹部の第１軸部と反対側の端部に、食器トレイの引き出し方向または押し込み方向に回動可能な第２軸部を介して取り付けられ、第２軸部から延在する。そして、第２軸部を介して第２凹部を第１凹部に向って回動させて、第１凹部と第２凹部とで形成される内側に被洗浄物を収納可能に構成される。
【００５５】
上記構成によれば、食器トレイに取り付けられた食器カゴ内に、飛ばされやすい軽い被洗浄物を、より確実に収納しながら、洗浄することができる。
【００５６】
また、本発明の食器カゴは、第１軸部を食器トレイの押し込み方向に回動させるとともに、第２軸部を回動させて、第１凹部および第２凹部を実質的に水平方向に開く。そして、第１凹部および第２凹部によって食器トレイに収納された少なくとも一部の食器の上を覆うカバー状態を構成することが望ましい。
【００５７】
また、本発明の食器カゴは、第１軸部を食器トレイの押し込み方向に回動させて、食器トレイの上で、第１凹部と第２凹部とを実質的に閉じることによって被洗浄物を収納可能な小カゴを構成としてもよい。
【００５８】
また、本発明の食器カゴは、第１軸部を食器トレイの引き出し方向に回動させて、食器トレイの外で、少なくとも第２凹部によって小カゴを構成してもよい。
【００５９】
上記これらの構成によれば、洗浄時に飛ばされるような軽い被洗浄物の有無、食器トレイの上の比較的軽い食器などの被洗浄物の有無などに応じて、適宜、食器カゴの状態を選択できる。これにより、より効果的に、被洗浄物を洗浄できる。
【００６０】
また、本発明の食器カゴの第２凹部は、第１凹部より重くすることが望ましい。
【００６１】
上記構成によれば、カバー状態において、より安定して食器などの被洗浄物を押さえて、洗浄することができる。
【００６２】
また、本発明の食器洗い機は、洗浄槽と、食器を収納する食器トレイと、上記食器カゴと、洗浄槽内で、食器トレイおよび食器カゴに収納される被洗浄物に洗浄水を噴射する洗浄部と、を備える。
【００６３】
上記構成によれば、食器トレイに取り付けられた食器カゴ内に飛ばされやすい軽い被洗浄物を収納しながら、より効果的に被洗浄物を洗浄できる。
【産業上の利用可能性】
【００６４】
本発明は、飛ばされやすい軽い被洗浄物を、安定して洗浄、乾燥などが要望される、食器カゴおよびそれを備える食器洗い機や、空気を送風する食器乾燥機などに応用可能である。
【符号の説明】
【００６５】
１    本体
２    洗浄槽
３ａ，３ｂ    レール
４    食器トレイ
５ａ，５ｂ，５ｃ    洗浄ノズル（洗浄部）
１０    カゴ部（食器カゴ）
１１    第１軸部
１２    第１凹部
１３    第２軸部
１４    第２凹部
２０    食器洗い機
【図１】
2020071005.tif 000003
【図２】
2020071005.tif 000004
【図３】
2020071005.tif 000005
【図４】
2020071005.tif 000006
【図５】
2020071005.tif 000007
【図６】
2020071005.tif 000008
【図７】
2020071005.tif 000009
【図８】
2020071005.tif 000010
【国際調査報告】
2020071005.tif 000011
2020071005.tif 000012